(57)【要約】【課題】  注文に係る作業負荷の削減、および、作業者の入力ミスを削減することを目的とする。【解決手段】  発注端末（１１）から印刷物の生産依頼を受ける印刷受発注システム（２１，２２，２３，２４）であって、印刷機による印刷に関する設定情報を含む印刷工程を登録する印刷工程登録手段（Ｓ２０６）と、加工機による加工に関する設定情報を含む加工工程を登録する加工工程登録手段（Ｓ２０７）と、登録された複数の印刷工程の中から選択された印刷工程、登録された複数の加工工程の中から選択された加工工程、およびそれらの実行順序に関する順序情報が定義された製品仕様（１３０１）とを含む製品（１７０１）を登録する製品登録手段（Ｓ２０９）と、登録された製品を発注端末から発注可能なアイテム（１８０１）として登録するアイテム登録手段（Ｓ２１０）と、を有する。【選択図】  図５
2014109855.tif 000002
【特許請求の範囲】
【請求項１】
発注端末から印刷物の生産依頼を受ける印刷受発注システムであって、
印刷機による印刷に関する設定情報を含む印刷工程を登録する印刷工程登録手段と、
加工機による加工に関する設定情報を含む加工工程を登録する加工工程登録手段と、
前記印刷工程登録手段により登録された複数の印刷工程の中から選択された印刷工程、前記加工工程登録手段により登録された複数の加工工程の中から選択された加工工程、およびそれらの実行順序に関する順序情報とが定義された製品仕様を含む製品を登録する製品登録手段と、
前記製品登録手段により登録された製品を前記発注端末から発注可能なアイテムとして登録するアイテム登録手段と、
を有することを特徴とする印刷受発注システム。
【請求項２】
さらに、前記製品仕様を登録する製品仕様登録手段を有し、
前記製品登録手段は、前記製品仕様登録手段により登録された複数の製品仕様の中から選択された製品仕様を指定して製品を登録することを特徴とする請求項１に記載の印刷受発注システム。
【請求項３】
複数の工程部品を配置し該複数の工程部品を連結することにより複数の工程の実行順序を指定するための配置図を表示し、該配置図を介して前記実行順序の指定を受け付けることを特徴とする請求項１に記載の印刷受発注システム。
【請求項４】
前記印刷に関する設定は、印刷機の識別情報、印刷面に関する設定、用紙の向きに関する設定、印刷の色に関する設定、用紙の大きさに関する設定、用紙のタイプに関する設定のうち少なくとも１つを含むことを特徴とする請求項１に記載の印刷受発注システム。
【請求項５】
前記印刷工程登録手段、前記加工工程登録手段、前記製品登録手段、および前記アイテム登録手段により登録された各情報を検索するための検索手段を有することを特徴とする請求項１に記載の印刷受発注システム。
【請求項６】
発注端末から印刷物の生産依頼を受ける印刷受発注システムにおける制御方法であって、
印刷機による印刷に関する設定情報を含む印刷工程を登録する印刷工程登録ステップと、
加工機による加工に関する設定情報を含む加工工程を登録する加工工程登録ステップと、
前記印刷工程登録ステップにより登録された複数の印刷工程の中から選択された印刷工程、前記加工工程登録ステップにより登録された複数の加工工程の中から選択された加工工程、およびそれらの実行順序に関する順序情報とが定義された製品仕様を含む製品を登録する製品登録ステップと、
前記製品登録ステップにより登録された製品を前記発注端末から発注可能なアイテムとして登録するアイテム登録ステップと、
を有することを特徴とする印刷受発注システムにおける制御方法。
【請求項７】
請求項６に記載の制御方法をコンピュータに実行させるためのプログラム。
【請求項８】
請求項７に記載のプログラムを記憶した記憶媒体。
【発明の詳細な説明】
【技術分野】
【０００１】
本発明は、発注者からの印刷物の生産依頼を受ける印刷受発注システムに関する。
【背景技術】
【０００２】
従来、印刷会社が発注者から印刷注文を受けると、印刷会社の作業者は印刷前の準備工程として注文書に記載された印刷物の用紙の種類やサイズ、綴じ方などの印刷仕様をもとに、印刷物を生産するための作業手順を記した作業指示書を作成する。そして、印刷データを指定の印刷仕様で印刷するための設定をホットフォルダ（ＨｏｔＦｏｌｄｅｒ）と呼ばれる特定のフォルダに設定していた。然る後に、印刷工程として、印刷データを該ＨｏｔＦｏｌｄｅｒに投入し、印刷物を印刷していた。
【先行技術文献】
【特許文献】
【０００３】
【特許文献１】特開２００５−１３５１７４号公報
【発明の概要】
【発明が解決しようとする課題】
【０００４】
しかしながら、上述の印刷前の準備工程では、一つの製品仕様から作成できる印刷物であっても、印刷物ごとに印刷仕様をシステムに入力し作業指示書を作成しなければならなかった。例えば、用紙種がコート紙、用紙サイズがＡ４、製本の仕方がくるみ製本で構成されるＡ社の製品カタログを既に生産済みで、用紙種だけが異なるＢ社の製品カタログを受注した場合、Ａ社の製品カタログとＢ社の製品カタログは用紙種が異なる。したがって、印刷会社の作業者は異なる印刷物として新たに印刷仕様を入力しシステムに登録しなければならなかった。このため、類似の印刷仕様の印刷物であっても、作業者は一から印刷仕様をシステムに入力しなければならず、作業者の入力負荷が高く、入力ミス発生の確率が高かった。
【０００５】
さらに、近年ではインターネットを介して印刷の注文を受けるネット印刷注文サービスにより、発注の敷居が下がったことから、一般の個人からの注文が増加した。これら一般の個人からの注文の特徴として、従来の少品種大部数注文から多品種小部数注文に移行したことが挙げられる。これにより、従来に比べ、一注文に係る作業時間に占める入力作業の占める割合が増大してきたため、生産性を上げるためにも、入力作業時間の削減は印刷会社にとってますます重要な課題となってきた。
【０００６】
そこで、本発明は、注文に係る作業負荷の削減、および、作業者の入力ミスを削減する印刷受発注システム及び制御方法を提供することを目的とする。
【課題を解決するための手段】
【０００７】
本発明は、発注端末から印刷物の生産依頼を受ける印刷受発注システムであって、印刷機による印刷に関する設定情報を含む印刷工程を登録する印刷工程登録手段と、加工機による加工に関する設定情報を含む加工工程を登録する加工工程登録手段と、前記印刷工程登録手段により登録された複数の印刷工程の中から選択された印刷工程、前記加工工程登録手段により登録された複数の加工工程の中から選択された加工工程、およびそれらの実行順序に関する順序情報とが定義された製品仕様を含む製品を登録する製品登録手段と、前記製品登録手段により登録された製品を前記発注端末から発注可能なアイテムとして登録するアイテム登録手段と、を有することを特徴とする。
【発明の効果】
【０００８】
本発明によれば、注文に係る作業負荷の削減、および、作業者の入力ミスを削減する印刷受発注システム及び制御方法を提供することが可能となる。
【図面の簡単な説明】
【０００９】
【図１】本発明に係る印刷受発注システムのハードウェア構成を示す図。
【図２】本発明に係る計算機およびサーバのハードウェア構成を示す図。
【図３】第一の実施例に係る印刷受発注システムの論理構成を示すブロック図。
【図４】第一の実施例に係る初期設定から印刷物の発送までの処理の流れの例を示す図。
【図５】第一の実施例に係る初期設定およびアイテム登録の処理の流れの例を示すシーケンス図。
【図６】第一の実施例に係る用紙登録画面の例を示す図。
【図７】第一の実施例に係るメニュー画面の例を示す図。
【図８】第一の実施例に係るデバイス登録画面の例を示す図。
【図９】第一の実施例に係る設定項目追加画面の例を示す図。
【図１０】第一の実施例に係るチケット作成画面の例を示す図。
【図１１】第一の実施例に係る印刷ジョブチケット登録画面の例を示す図。
【図１２】第一の実施例に係る印刷設定登録画面の例を示す図。
【図１３】第一の実施例に係る印刷工程登録画面の例を示す図。
【図１４】第一の実施例に係る加工工程登録画面の例を示す図。
【図１５】第一の実施例に係る製品仕様登録画面の例を示す図。
【図１６】第一の実施例に係る製品仕様登録画面における製品仕様登録処理の流れの例を示す図（１／２）。
【図１７】第一の実施例に係る製品仕様登録画面における製品仕様登録処理の流れの例を示す図（２／２）。
【図１８】第一の実施例に係る製品仕様検索画面における製品仕様検索処理の流れの例を示す図。
【図１９】第一の実施例に係る印刷工程検索画面の例を示す図。
【図２０】第一の実施例に係る料金試算画面の例を示す図。
【図２１】第一の実施例に係る料金試算画面における印刷料金試算処理の流れの例を示す図。
【図２２】第一の実施例に係る製品登録画面の例を示す図。
【図２３】第一の実施例に係るアイテム登録画面の例を示す図。
【図２４】第一の実施例に係る発注者環境における発注処理の流れの例を示す図。
【図２５】第一の実施例に係るアイテム一覧画面の例を示す図。
【図２６】第一の実施例に係る注文履歴画面の例を示す図。
【図２７】第一の実施例に係る注文一覧画面の例を示す図。
【図２８】第一の実施例に係る注文詳細画面の例を示す図。
【図２９】第一の実施例に係る注文詳細画面における処理の流れの例を示す図。
【図３０】第二の実施例に係る印刷受発注システムの論理構成を示すブロック図。
【図３１】第二の実施例に係る初期設定から印刷物の発送までの処理の流れの例を示す図。
【図３２】第二の実施例に係る初期設定およびアイテム登録の処理の流れの例を示すシーケンス図。
【図３３】第二の実施例に係るデザイン編集画面の例を示す図。
【発明を実施するための形態】
【００１０】
［実施例］
［第一の実施例］
以下、本発明を適用した第一の実施例を説明する。まず、図１を用いて本実施例における印刷受発注システムのハードウェア構成を説明する。
【００１１】
＜印刷受発注システムのハードウェア構成＞
図１において、１は、本印刷受発注システムの顧客となる印刷物を発注する発注者環境である。２は、本印刷受発注システムを運営する印刷受発注サービス会社である。３は、本印刷受発注システムを利用して発注者からの印刷注文を受け、印刷物を生産し、発注者に印刷物を発送する印刷会社である。４は、発注者環境、印刷受発注サービス会社、印刷会社が接続するインターネットである。１１は、発注者が印刷注文を行う計算機（発注端末）である。２１は、発注者の認証、発注者が発注できる印刷物の一覧の提示、発注者からの注文の受け付けなど発注者からの要求に応答するフロントエンドサーバである。２２は、印刷に係る情報の管理ならびにフロントエンドサーバおよび印刷会社からの該情報の要求に応答する印刷受注サーバである。２３は、印刷に係る情報を保持するためのデータベースサーバである。２４は、印刷に係るファイルを保持するためのファイルサーバである。３１は、印刷会社の作業者が印刷注文に係る情報の取得、送信や印刷機や加工機の制御などに利用する計算機である。３２は、印刷会社が管理する印刷に係るファイルを保持するためのファイルサーバである。３３は、印刷会社が印刷物の印刷に利用する印刷機である。３４は、印刷会社が印刷物の加工に利用する加工機である。
【００１２】
＜計算機・サーバ類のハードウェア構成＞
次に、図２を用いて、前記計算機およびサーバ類のハードウェア構成を説明する。図２において、２０１は、後述の記憶装置２０６上に格納された計算機プログラムを読み込み、解釈、実行する。そして、後述のバス２０９を介してバスに接続された後述のＲＡＭ２０３やディスプレイ２０４などを制御する中央演算処理装置（ＣＰＵ：Ｃｅｎｔｒａｌ  Ｐｒｏｃｅｓｓｉｎｇ  Ｕｎｉｔ）である。２０２は、バスに接続されたハードウェアとの低レベルでの入出力制御を行う読み出し専用メモリ（ＲＯＭ：Ｒｅａｄ  Ｏｎｌｙ  Ｍｅｍｏｒｙ）である。２０３は、ＣＰＵ２０１が演算する際の情報を一時的に記憶するランダムアクセスメモリ（ＲＡＭ：Ｒａｎｄｏｍ  Ａｃｃｅｓｓ  Ｍｅｍｏｒｙ）である。２０４は、ＣＰＵによる計算結果を表示するディスプレイである。２０５は、ユーザからの入力を受け付けるキーボードである。２０６は、計算に利用するプログラムやデータを格納する記憶装置である。２０７は、ローカルネットワークやイントラネット、インターネットなどのネットワークに接続するネットワークＩ／Ｆ（Ｉ／Ｆ：インターフェイス）である。２０８は、ユーザが画面上で指定した座標を受け付けるマウスやトラックボールなどのポインティングデバイスである。２０９は、上記ＣＰＵ２０１乃至ポインティングデバイス２０８が接続された信号線であるところのバスである。計算機およびサーバ類の詳細については本発明においては主たる要件ではないので、詳細な説明は省略する。
【００１３】
＜印刷受発注システムの論理構成＞
次に、図３を用いて本実施例における印刷受発注システムの論理構成を説明する。
【００１４】
図３において、３０１は、発注者環境の計算機で動作するプログラムである。３０２は、印刷受発注サービス会社の各種サーバで動作するプログラムである。３０３は、印刷会社の計算機で動作するプログラムである。３０４は、発注者からの印刷注文を受け付ける注文情報入力部である。３０５は、前記注文情報入力部で受けた注文情報に基づき、印刷受発注システムに生産依頼、つまりは発注を行う発注部である。３０６は、後述する顧客管理部３０７から注文管理部３１７で構成され、顧客情報、用紙情報、デバイス情報、印刷設定、印刷工程、加工工程、製品仕様、製品、アイテムなどの注文および印刷に係る情報を管理する管理部である。さらに、印刷ジョブチケットテンプレート、プリントチケットテンプレート、加工ジョブチケットテンプレート、および、注文情報も管理する。ここで、印刷ジョブチケットテンプレートは、印刷物を生産するための作業や印刷物の仕様などを記述した雛形ファイルである。プリントチケットテンプレートは、所望の印刷物を印刷するために印刷機に設定すべき設定を記述した雛形ファイルである。加工ジョブチケットテンプレートは、所望の加工を行うために加工機に設定すべき設定を記述した雛形ファイルである。３０７は、印刷受発注システムを利用する顧客のＩＤやパスワードなどの顧客に関する情報（顧客情報）およびＩＤとパスワードに基づく認証を行う顧客管理部である。３０８は、印刷会社が管理する用紙の名称、ＩＤ、サイズ、紙質、紙色、基準単価、メーカー名、紙厚、紙目、連量、坪量などの用紙に関する情報（用紙情報）を管理する用紙管理部である。ここで、紙目とは、紙の繊維の配向のことであり、縦目あるいは横目などがある。連量とは、所定のサイズに仕上げられた用紙１０００枚当たりの重量のことである。坪量とは、１ｍ２当たりの用紙の重量のことである。３０９は、印刷会社が管理する印刷機や加工機などの印刷に用いるデバイスの名称、ＩＤ、メーカー、デジタル印刷機か否か、対応するチケットフォーマットを管理するデバイス管理部である。さらに、印刷面（片面印刷あるいは両面印刷）、印刷時の用紙の向き、印刷色、仕上りサイズ、対応用紙などのデバイスに関する情報（デバイス情報）も管理する。３１０は、印刷時に利用する印刷ジョブチケットテンプレート、プリントチケット、加工ジョブチケットテンプレートなどのチケットを管理するチケット管理部である。３１１は、印刷物の仕上りサイズ、綴じ方、印刷面、用紙の向き、印刷色、印刷するときに選択すべき用紙トレイ、用紙トレイにセットする用紙のサイズなどの印刷物を印刷する際の設定（印刷設定）に関する情報を管理する印刷設定管理部である。３１２は、印刷に用いる印刷機の名称、印刷ジョブチケットに対応するか否か、外注を利用するか否かを表す外注利用フラグ、印刷ジョブチケットに対応する場合その印刷ジョブチケット名などの印刷工程に関する情報を管理する印刷工程管理部である。さらに、当該印刷工程を構成する部材（印刷物を構成する用紙などの部分品）の数、部材の名称、サイズなども管理する。３１３は、当該加工工程の名称、ＩＤ、加工区分、外注を利用するか否かを表す外注利用フラグ、加工仕上りサイズ、加工標準単価などの加工工程に関する情報を管理する加工工程管理部である。３１４は、当該製品仕様の名称、ＩＤ、カテゴリ（チラシ、冊子、カタログなど）、外注を利用するか否かを表す外注利用フラグ、当該製品仕様を印刷受発注システム上で利用できるように有効にするか否か、基準単価、当該製品仕様を構成する印刷工程および加工工程（製品仕様によっては、印刷工程あるいは加工工程のいずれかしか持たない場合もある。例えば、加工を伴わない１枚からなるチラシの場合には印刷工程しか持たない。）も管理する。３１５は、当該製品の名称、ＩＤ、当該製品を構成する製品仕様などの製品に関する情報を管理する製品管理部である。３１６は、当該アイテムの名称、ＩＤ、公開先のフロントエンドサービス（以下、ＦＥＳ）、価格、販売開始日、販売終了日、出荷日数、注文可能最大部数、当該アイテムを構成する製品などのアイテムに関する情報を管理するアイテム管理部である。３１７は、発注者から発注された注文の名称、ＩＤ、注文日時、価格、注文に関連するアイテムや印刷データなどの注文に関する情報を管理する注文管理部である。３１８は、印刷受発注システムを利用する印刷会社からのデータの入力を受け付ける入力部である。３１９は、後述のデータ保持部３２５に格納される用紙情報、デバイス情報、製品仕様などの印刷に係る情報から所望の情報を検索する検索部である。３２０は、製品仕様を構成する印刷工程と加工工程を工程順に配置し、関連する工程を連結し、製品仕様の構成を後述の情報表示部３２９を介して印刷会社の作業者が視覚的に確認できるよう情報を加工し提供する提供部である。３２１は、製品仕様および部数などの注文に係る情報に基づき印刷料金を算出する料金算出部である。３２２は、発注者からの注文を受け付ける受注部である。３２３は、前記受注部で受けた注文および前記管理部で管理する各種情報に基づき、印刷ジョブチケット、プリントチケット、作業指示書などの印刷物の生産方法に関する情報を生成する生成部である。３２４は、前記生成部で生成した情報を印刷会社からの要求に従い出力する出力部である。３２５は、前記管理部３０６で利用する顧客、用紙、デバイス、チケット、印刷設定、印刷工程、加工工程、製品仕様、製品、アイテム、注文、印刷データなどの各種情報を保持するデータ保持部である。３２６は、計算途中の値を一時的に保持しておくためのバッファメモリである。３２７は、印刷会社の作業者からの入力を受け付ける指示入力部である。３２８は、前記指示入力部からの入力に従い印刷受発注システムや印刷機あるいは加工機との情報の授受ならびに処理を行う情報処理部である。３２９は、前記情報処理部で処理した情報を表示装置に表示する情報表示部である。３３０は、印刷の際に用いる印刷ジョブチケットや印刷データなどのデータを一時的に保持するデータ保持部である。３３１は、前記情報処理部で指示された印刷データを印刷機で印刷する印刷部である。３３２は、前記情報処理部で指示された部材を加工する加工部である。
【００１５】
＜印刷の全体の流れ＞
次に、図４を用いて印刷の初期設定から印刷物の発送までの全体的な業務の流れについて概要を説明する。ステップＳ１０１において、印刷会社の作業者は印刷に用いる用紙やデバイス、印刷物の製品などの情報を印刷受発注システムに登録する。ステップＳ１０２  において、発注者と印刷会社は印刷物の印刷仕様について調整を行う。調整は、対面や電話、ＦＡＸ、ｅ−ｍａｉｌなど印刷受発注システム外で行っても良いし、印刷受発注システムに発注者と印刷会社の間で印刷仕様を決定するための手段を設け、該手段を使って行っても良い。さらに言えば、両者の間で、印刷仕様を決定できることができれば、どのような方法を用いても良い。ステップＳ１０３において、印刷会社の作業者は、ステップＳ１０２で決定した印刷仕様のアイテムを印刷受発注システムに登録する。ステップＳ１０４において、発注者は、発注者環境の計算機を使って印刷受発注システムにアクセスし、ステップＳ１０３で登録されたアイテムに対して発注を行う。ステップＳ１０５において、印刷受発注システムは、発注者からの注文を受け付け、注文があったことを印刷会社に通知する。ステップＳ１０６において、印刷会社の作業者は注文に対応する印刷物を生産するための情報を印刷受発注システムから取得し、印刷機および加工機の設定を行う。ステップＳ１０７において、印刷会社の作業者は、印刷データを印刷機に投入し、印刷物の印刷・加工を行う。ステップＳ１０８おいて、印刷会社の作業者は、印刷・加工された印刷物を発注者に発送する。以上のような流れで発注された印刷物が発注者に届けられる。
【００１６】
＜初期設定からアイテムの登録までの流れ＞
次に、図５を用いて、前記ステップＳ１０１からＳ１０３  までの業務の流れを説明する。図５（ａ）に初期設定シーケンスを示す。
【００１７】
＜用紙登録＞
ステップＳ２０１において、用紙管理部は、情報表示部３２９に表示される図６に示すような用紙登録画面に入力された用紙情報を受け取り、データ保持部３２５に格納する。
【００１８】
図６に用紙登録画面の例を示す。図６において、５０１は、後述のメニュー画面から遷移し、情報表示部３２９に表示される用紙に関する情報を印刷受発注システムに登録するための用紙登録画面である。５０２は、用紙を識別するための用紙ＩＤである。５０３は、既に印刷受発注システムに登録された用紙を検索するための用紙検索ボタンである。５０４は、用紙の名称を表す用紙名である。５０５は、当該用紙を印刷受発注システムで利用できるようにするか否かを表す有効フラグである。５０６は、用紙の大きさを表す用紙サイズである。５０７は、前記用紙サイズ５０６に入力したサイズにおける当該用紙の単価を示す基準単価、５０８から５１４は、それぞれ、用紙の紙質、紙色、メーカー、紙厚、紙目、連量、坪量である。５１５は、上記各入力項目の内容で用紙を登録する際に作業者からの入力を受け付け、設定項目をデータ保持部３２５に登録する登録ボタンである。５１６は、用紙登録をキャンセルする際に作業者からの入力を受け付けるキャンセルボタンである。
【００１９】
また、用紙検索ボタン５０３が押下された場合には、用紙管理部３０８は不図示の用紙検索画面を情報表示部３２９に表示する。用紙検索画面は、用紙名や用紙サイズなどの絞り込み条件を作業者に入力させる入力欄、および、入力欄に入力された絞り込み条件で該当する用紙を検索する検索ボタンを備える。作業者からの検索ボタンの押下を受け付けると、入力された絞り込み条件を検索部３１９に受け渡す。検索部３１９は該絞り込み条件に基づきデータ保持部３２５に格納された用紙情報を検索し、検索結果を用紙管理部３０８に返却する。用紙管理部３０８は受け取った検索結果を、情報処理部３２８を介して情報表示部３２９に表示する。検索結果は用紙情報を一覧した形式で表示され、作業者により所望の用紙が選択されると、用紙登録画面の各項目に、該選択された用紙の情報が反映される。作業者は、その中の所定の入力項目を編集し登録することができる。このような仕組みを備えることで、作業者は一から用紙に関する情報を入力することなく新規に用紙を登録することができる。
【００２０】
尚、用紙登録画面は、図７に示すメニュー画面から遷移して情報表示部３２９に表示される。詳しくは、作業者が指示入力部３２７を介して印刷受発注システムへのアクセスを指示すると、情報処理部３２８は印刷受発注システムにメニュー画面の送信を要求する。要求を受けた印刷受発注システムは、スクリプトおよび画像で構成されるメニュー画面を表示するためのデータを生成し、該データを情報処理部３２８に送信する。該データを受け取った情報処理部３２８はスクリプトを解釈し、情報表示部３２９にメニュー画面を表示する。作業者がメニュー画面中の用紙登録ボタンを押下すると、用紙登録ボタンが押下されたことを示す情報が印刷受発注システムに送信される。該情報を受信した印刷受発注システムは、用紙登録画面を表示するためのデータを生成し、該データを情報処理部３２８に送信する。該データを受け取った情報処理部３２８はデータを解釈し、情報表示部３２９に用紙登録画面を表示する。このようなステップを経て用紙登録画面が作業者のディスプレイ上に表示されるが、クライアント（ここでは、印刷会社の計算機や発注者の計算機）とサーバ間の情報の要求および応答は公知技術である。本発明の主たる要件ではないので、以下の説明では詳細を省略する。
【００２１】
次に、図７に示すメニュー画面について、以下に説明する。図７は、情報表示部３２９に表示され、後述する注文一覧画面や既に印刷受発注システムに登録されている各種情報の一覧画面、および、各種情報の登録画面の取得を作業者が印刷受発注システムに要求するためのメニュー画面である。図７において、４０１は、項目一覧４０２および項目登録４０３で構成されるメニュー画面である。４０２は、注文一覧ボタン、用紙一覧ボタンなどで構成され、既に印刷受発注システムに登録してある各種情報の一覧の取得を印刷受発注システムに要求する項目一覧である。４０３は、用紙登録ボタン、デバイス登録ボタンなどで構成され、印刷受発注システムに各種情報を登録するための各種登録画面を表示するための項目登録である。尚、メニュー画面を情報表示部３２９に表示する際には、メニュー画面だけを表示するようにしても良いし、メニュー画面とともに後述の注文一覧画面などを同時に表示するようにしても良く、作業者の作業効率が向上するように表示すればどのように表示しても良い。
【００２２】
＜デバイス登録＞
次に、ステップＳ２０２において、デバイス管理部３０９は、情報表示部３２９に表示される図８に示すデバイス登録画面に入力されたデバイス情報を受け取り、データ保持部３２５に格納する。
【００２３】
図８において６０１は、印刷会社が管理するデバイスを登録するためのデバイス登録画面である。６０２は、デバイスを識別するためのデバイスＩＤである。６０３は、印刷受発注システムに既に登録されたデバイスを検索するための不図示のデバイス検索画面を呼び出すためのデバイス検索ボタンである。６０４から６０９は、それぞれ、デバイス名、デバイスが対応する印刷ジョブチケットのチケットフォーマット、デバイスのメーカー名、さらに、当該デバイスを印刷受発注システムで利用できるようにするか否かを表す有効フラグ、当該デバイスがデジタル印刷機か否かを表す印刷機区分、デバイスに関する補足的情報を表すデバイス説明である。６１０から６１３は、それぞれ、選択式、キーワード、文章、数値の形式でデバイスに関する設定項目を追加するための設定項目追加ボタン（詳しくは、図９を用いて後述する）である。６１４から６２９は、当該デバイスを利用する場合に印刷ジョブチケットおよびプリントチケットに追加すべき設定項目を登録する入力欄である。６１４から６１７は、印刷面について片面と両面の選択肢から選択できることを表し、当該印刷面の設定項目は印刷ジョブチケットへの設定は行わないが、他方、プリントチケットへの設定は必須であることを表す設定項目である。６１８から６２１は、用紙の向きについて縦と横の選択肢から選択できることを表し、当該用紙の向きの設定項目は印刷ジョブチケットへの設定は必須であり、他方、プリントチケットへの設定は任意であることを表す設定項目である。６２２から６２５は、印刷の色についてモノクロとカラーの選択肢から選択できることを表し、当該印刷の色の設定項目は印刷ジョブチケットへの設定は任意であり、他方、プリントチケットへの設定は必須であることを表す設定項目である。６２６から６２９は、仕上りサイズの幅について数値で指定することを表し、当該仕上りサイズの幅の設定項目は印刷ジョブチケットへの設定は任意であり、他方、プリントチケットへの設定は行わないことを表す設定項目である。６３０から６３３は、綴じ設定について中綴じとくるみ製本の選択肢から選択できることを表し、当該綴じ設定の設定項目は印刷ジョブチケットへの設定は任意であり、他方、プリントチケットへの設定は行わないことを表す設定項目である。６３４は、印刷受発注システムに既に登録されている用紙を検索するための用紙検索画面を呼び出す用紙検索ボタンである。６３５から６４２は、前記用紙検索画面で選択された用紙情報を表す対応用紙一覧である。６３５から６３８は、それぞれ第一の対応用紙のＩＤ、名称、メーカー名、サイズである。６３９から６４２は、それぞれ第二の対応用紙のＩＤ、名称、メーカー名、サイズである。６４３は、上記各入力項目の内容でデバイスを登録する際に作業者からの入力を受け付け、設定項目をデータ保持部３２５に登録する登録ボタンである。６４４は、デバイス登録をキャンセルする際に作業者からの入力を受け付けるキャンセルボタンである。
【００２４】
尚、デバイス検索ボタン６０３によって呼び出されるデバイス検索画面は、デバイスＩＤ、デバイス名、メーカー名、対応用紙などのデバイスに関する絞込み条件を作業者に入力させる入力欄を備える。さらに、入力欄に入力された絞り込み条件で該当するデバイスを検索する検索ボタンを備える。作業者からの検索ボタンの押下を受け付けると、入力された絞り込み条件を検索部３１９に受け渡す。検索部３１９は該絞り込み条件に基づきデータ保持部３２５に格納されたデバイス情報を検索し、検索結果をデバイス管理部３０９に返却する。デバイス管理部３０９は受け取った検索結果を、情報処理部３２８を介して情報表示部３２９に表示する。検索結果はデバイス情報を一覧した形式で表示され、作業者により所望のデバイスが選択されると、デバイス登録画面の各項目に、該選択されたデバイスの情報が反映される。作業者は、その中の所定の入力項目を編集し登録することができる。このような仕組みを備えることで、作業者は一からデバイスに関する情報を入力することなく新規にデバイスを登録することができる。また、前記用紙検索ボタン６３４によって呼び出される用紙検索画面は、用紙登録の際に説明した用紙検索画面と同様の画面である。用紙検索画面において作業者により用紙が選択されるとデバイス登録画面の対応用紙一覧に当該用紙が追加されるものとする。この用紙の追加により、デバイスとそのデバイスで利用できる用紙とが紐付けられる。
【００２５】
続いて、前記設定項目追加ボタン（６１０〜６１３）によって呼び出される設定項目追加画面について、図９を用いて説明する。
【００２６】
図９において、７０１は、選択式の設定項目を追加するための設定項目追加画面である。７０２は、設定項目の分類を表す分類項目である。７０３は、設定項目の名称を表す設定項目名である。７０４は、印刷ジョブチケットへ設定を行うか否か、また設定を行う場合、任意か必須かを表す印刷ジョブチケット設定である。７０５は、プリントチケットへ設定を行うか否か、また設定を行う場合、任意か必須かを表すプリントチケット設定である。７０６は、印刷ジョブチケットおよびプリントチケットに設定項目を設定する際に設定する設定内容である。７０７は、上記各入力項目の内容で設定項目を追加する際に作業者からの入力を受け付け、設定項目をデータ保持部３２５に登録する登録ボタンである。７０８は、設定項目の追加をキャンセルする際に作業者からの入力を受け付けるキャンセルボタンである。図９に示す例では、分類が一般設定、設定項目名が印刷面、印刷ジョブチケットへの設定は行わず、他方、プリントチケットへの設定は必須であり、その設定内容は、片面と両面の選択肢から作業者に選択させることを表す。以上、説明したデバイスに関する設定項目を備えることで、後述する印刷設定登録、印刷工程登録においてデバイスの能力に応じた設定項目を表示することができる。また、当該デバイスを利用した印刷物を生産する際に漏れなく印刷ジョブチケットおよびプリントチケットに設定項目を設定することができる。
【００２７】
以上のステップＳ２０１およびＳ２０２により、印刷会社の作業者による印刷受発注システムへの初期設定が完了する。
【００２８】
＜印刷仕様の調整からアイテム登録までの流れ＞
次に、図５（ｂ）を用いて印刷仕様の調整からアイテム登録までのシーケンスについて説明する。ステップＳ２０３において、発注者と印刷会社の間で印刷物の印刷仕様について調整を行う。調整方法の詳細はステップＳ１０２で説明しているので省略する。ステップＳ２０４において、チケット管理部３１０は、情報表示部３２９に図１０に示すチケット作成画面を表示し、作業者にチケットを作成させ、図１１に示すチケット登録画面からチケットを受信し、データ保持部３２５に格納する。但し、この時点では、印刷ジョブチケットおよびプリントチケットには、注文があって初めて決定する部数の情報などは設定されていない。従って、この時点では、テンプレートの状態である。また、設定されていない情報は、後の注文後のステップにおいて入力されチケットが完成する。
【００２９】
以下に、図１０を用いて、プリントチケットを作成する場合を例にチケットの作成方法を説明する。
【００３０】
図１０において、８０１は、チケットを作成するためのチケット作成画面である。８０２、８０３は、それぞれチケットを識別するためのチケットＩＤとチケット名である。８０４は、チケットを構成する木構造の各要素を視覚的に表した要素ツリーである。８０５は、本チケットの最上位である第一階層の要素である。８０６は、第一階層の要素の子要素であるところの本チケットの第二階層の要素である。８０７、８０８、８１０、８１２は、第二階層の要素の子要素であるところの本チケットの第三階層の要素である。８０９、８１１、８１３は、第三階層の要素の子要素であるところの本チケットの第四階層の要素である。８１４は、要素ツリー８０４に表示されるコンテキストメニューである。８１５は、本チケットの内容を表示するチケットコード表示領域である。８１６は、本チケットの内容を表すチケットコードである。８１７は、新規にチケットを作成する際に新たにチケットを作成する新規作成ボタンである。８１８は、既存のチケットを読み込み、チケットＩＤ８０２、チケット名８０３、要素ツリー８０４およびチケットコード表示領域８１５に値を表示する開くボタンである。８１９は、現在編集中のチケットをデータ保持部３２５に保存する保存ボタンである。８２０は、チケットの作成をキャンセルする際に作業者からの入力を受け付けるキャンセルボタンである。
【００３１】
また、前記コンテキストメニュー８１４は、要素追加、内容編集、削除などの要素ツリーまたは要素を編集するための機能を呼び出し、要素追加であれば要素ツリーに新たに要素を追加する。内容編集であれば既存の要素への作業者からの編集を受け付け、削除であれば選択されている要素を要素ツリーから削除する。図１０に示す例では、プリントチケットがＸＭＬ（標準化団体Ｗｏｒｌｄ  Ｗｉｄｅ  Ｗｅｂ  Ｃｏｎｓｏｒｔｉｕｍにより策定された汎用的なマークアップ言語：Ｅｘｔｅｎｓｉｂｌｅ  Ｍａｒｋｕｐ  Ｌａｎｇｕａｇｅ）バージョン１．０で記述される。そして、両面印刷（ＴｗｏＳｉｄｅｄ）、用紙の向きが横向き（Ｌａｎｄｓｃａｐｅ）、出力サイズがユーザ定義サイズ（ＵｓｅｒＤｅｆｉｎｉｔｉｏｎＳｉｚｅ）であることを表す。尚、印刷ジョブチケットおよび加工ジョブチケットはプリントチケットと同じＸＭＬの形式で記述されるため、本チケット作成画面はプリントチケットに限らず、印刷ジョブチケットや加工ジョブチケットの作成にも使用することができる。
【００３２】
次に、前記チケット作成画面を使って作成したチケットを印刷受発注システムに登録するためのチケット登録画面について、図１１に示す印刷ジョブチケット登録画面の例を用いて説明する。図１１において、９０１は、印刷ジョブチケットを登録する印刷ジョブチケット登録画面である。９０２は、登録される印刷ジョブチケットを識別するための印刷ジョブチケットＩＤである。９０３は、印刷ジョブチケットを識別するための印刷ジョブチケット名称である。９０４は、当該印刷ジョブチケットのチケットフォーマットである。９０５は、当該印刷ジョブチケットを印刷受発注システムで利用できるように有効にするかあるいは利用できないように無効にするかを表す有効フラグである。９０６は、印刷受発注システムに予め登録してある印刷ジョブチケットファイルを検索するための印刷ジョブチケットファイル検索ボタンである。９０７は、印刷受発注システムに登録する印刷ジョブチケットファイルである。９０８は、当該印刷ジョブチケットに関する説明を表す印刷ジョブチケットの説明である。９０９は、上記各入力項目の内容で印刷ジョブチケットを登録する際に作業者からの入力を受け付け、設定項目をデータ保持部３２５に登録する登録ボタンである。９１０は、印刷ジョブチケット登録をキャンセルする際に作業者からの入力を受け付けるキャンセルボタンである。印刷受発注システムは、メニュー画面４０１のチケット登録ボタンが作業者により押下されたことを受け取ると印刷ジョブチケット登録画面を情報表示部３２９に表示する。チケット管理部３１０は、印刷ジョブチケットＩＤを新たに発行し、印刷ジョブチケットＩＤ９０２に表示し、作業者からの入力を待機する。チケット管理部３０９は、作業者からの印刷ジョブチケットファイル検索ボタンの押下を受け取ると、印刷受発注システムに既に登録された印刷ジョブチケットを検索するための印刷ジョブチケットファイル検索画面を表示する。作業者からのファイルの指定を受け付けると、該ファイルの名前を印刷ジョブチケットファイル９０７に反映させる。また、チケット管理部３０９は、作業者からの登録ボタン９０９の押下を受け付けると、作業者によって入力された印刷ジョブチケット名などの入力項目の内容を取得し、データ保持部３２５に格納する。
【００３３】
＜印刷設定登録＞
ステップＳ２０５において、印刷設定管理部３１１は、情報表示部３２９に表示される図１２に示す印刷設定登録画面に入力された印刷設定に関する情報を受け取り、データ保持部３２５に格納する。
【００３４】
次に、図１２を用いて、印刷設定の登録方法の例を示す。図１２において、１００１は、印刷設定を登録するための印刷設定登録画面である。１００２から１００７は、それぞれ、当該印刷設定が関連する印刷工程ＩＤ、印刷工程名、当該印刷設定が印刷ジョブチケットに対応するか否かを表す印刷ジョブチケット対応フラグ、さらに、外注を利用するか否かを表す外注利用フラグ、当該印刷設定で利用する印刷ジョブチケット名、デバイス名である。１００８から１０２３は、当該印刷設定で設定できる設定項目およびその設定内容である。１０２４は、後述の用紙検索ボタン１０２７を介して選択された用紙の名称を表示する用紙欄である。１０２５は、当該印刷設定で用いる用紙を予め登録した用紙情報から検索し設定する用紙検索ボタンである。１０２６は、上記各入力項目の内容で印刷設定を登録する際に作業者からの入力を受け付け、設定項目をデータ保持部３２５に登録する登録ボタンである。１０２７は、印刷設定の登録をキャンセルする際に作業者からの入力を受け付けるキャンセルボタンである。デバイス名１００７には、前記ステップＳ２０２で登録したデバイスから作業者の所望のデバイスを選択し、設定することができ、ここで設定することで、当該印刷設定とデバイスが紐付けられる。印刷設定管理部３１１は、デバイス名１００７にデバイス名が設定されたことを受信すると、デバイス登録で登録された設定項目のうち印刷ジョブチケットおよびプリントチケットにそれぞれ設定すべき設定項目を表示する。すなわち、デバイス登録画面で印刷ジョブチケット列およびプリントチケット列が必須もしくは任意に設定された設定項目を表示する。また、用紙欄１０２４に用紙が設定されることで、当該印刷設定と用紙が紐付けられる。
【００３５】
＜印刷工程登録＞
ステップＳ２０６において、印刷工程管理部３１２は、情報表示部３２９に表示される図１３に示す印刷工程登録画面に入力された印刷工程に関する情報を受け取り、データ保持部３２５に格納する。
【００３６】
図１３に印刷工程登録画面を示す。図１３において、１１０１は、当該印刷工程を構成する部材や利用する印刷機、印刷ジョブチケットなどの印刷工程に関する情報を登録する印刷工程登録画面である。１１０２は、印刷工程を識別するための印刷工程ＩＤである。１１０３から１１０７は、それぞれ、印刷工程名、当該印刷工程で利用する印刷デバイス、外注を利用するか否かを表す外注利用フラグである。さらに、印刷ジョブチケットに対応するか否かを表す印刷ジョブチケット対応フラグ、当該印刷工程で利用する印刷ジョブチケットファイルである。１１０８から１１１６は、当該印刷工程を構成する部材に関する設定である。１１０８は、当該印刷工程を構成する部材数である。１１０９から１１１２は、それぞれ第一の部材の部材名、見積りをする際に基準とする１枚当たりの用紙の単価を表す用紙単価、見積りをする際に基準とする１枚当たりの印刷料金を表す出力単価、当該部材を印刷する際に使用するプリントチケットファイルである。１１１３から１１１６は、それぞれ第二の部材に対する上記１１０９から１１１２に対応する設定項目である。１１１７は、当該印刷工程がインライン加工（印刷機と加工機を直列に接続し印刷工程と加工工程を一連の流れで処理する加工）に対応しているか否かを表すインライン対応フラグである。１１１８は、上記各入力項目の内容で印刷工程を登録する際に作業者からの入力を受け付け、設定項目をデータ保持部３２５に登録する登録ボタンである。１１１９は、印刷工程の登録をキャンセルする際に作業者からの入力を受け付けるキャンセルボタンである。
【００３７】
図１３には図示しないが、前述の用紙登録画面のように、印刷工程登録画面においても、既に登録してある印刷工程を検索するための印刷工程検索ボタンを呼び出すボタンを設けることができる。そして、該検索画面から所望の印刷ジョブチケットファイルやプリントチケットファイルを選択させ、読み込めるようにしても良いことは、言うまでもない。印刷ジョブチケットファイル１１０７およびプリントチケットファイル１１１２、１１１６を指定することで、印刷ジョブチケットファイルおよびプリントチケットファイルと当該印刷工程が紐付けられる。
【００３８】
＜加工工程登録＞
ステップＳ２０７において、加工工程管理部３１３は、情報表示部３２９に表示される図１４に示す加工工程登録画面に入力された加工工程に関する情報を受け取り、データ保持部３２５に格納する。
【００３９】
図１４において、１２０１は、加工工程を登録するための加工工程登録画面である。１２０２は、加工工程を識別するための加工工程ＩＤである。１２０３は、予め登録してある加工工程を検索するための加工工程検索ボタンである。１２０４は、加工工程の名称を表す加工工程名である。１２０５は、外注を利用するか否かを表す外注利用フラグである。１２０６は、製本、断裁、折りなどの加工の区分を表す加工区分である。１２０７、１２０８は、それぞれ加工仕上りサイズの幅、高さである。１２０９は、後述の加工単価区分１２１０に表示の加工単価区分当たり、ボリューム当たりの加工単価である。１２１０は、加工単価を表す際の枚当たり、部当たりなどの加工単位を表す加工単価区分である。１２１１は、加工区分が断裁である場合に断裁前後で増加する枚数の比率を表す断裁前後の分割比率である。１２１２は、当該加工工程で使用する加工ジョブチケットファイルを指定する加工ジョブチケットファイルである。１２１３は、上記各入力項目の内容で加工工程を登録する際に作業者からの入力を受け付け、設定項目をデータ保持部３２５に登録する登録ボタンである。１２１４は、加工工程の登録をキャンセルする際に作業者からの入力を受け付けるキャンセルボタンである。加工工程管理部３１３は、作業者からの加工工程検索ボタン１２０３の押下を受け取ると、既に登録してある加工工程を検索するための加工工程検索画面を情報表示部３２９に表示する。加工工程検索画面は前述の用紙検索画面やデバイス検索画面のように加工工程ＩＤや加工工程名、加工区分、関連する加工ジョブチケットファイルなどの絞り込み条件を入力する入力欄を備える。さらに、入力欄に入力された絞り込み条件で該当する加工工程を検索する検索ボタン、および、検索結果から選択された加工工程を加工工程登録画面に反映する適用ボタンを備える。適用ボタンが押下されると、加工工程管理部３１２は、加工工程検索画面で選択された加工工程を加工工程登録画面の各項目に反映させる。
【００４０】
＜製品仕様登録＞
ステップＳ２０８において、製品仕様管理部３１４は、情報表示部３２９に表示される図１５に示す製品仕様登録画面に入力された製品仕様に関する情報を受け取り、データ保持部３２５に格納する。
【００４１】
図１５において、１３０１は、製品仕様を登録するための製品仕様登録画面である。１３０２は、新規に製品仕様を登録する際に製品仕様管理部３１４から発行される製品仕様ＩＤである。１３０３は、製品仕様の名称を表す製品仕様名である。１３０４は、当該製品仕様を印刷受発注システムで利用できるようにするか否かを表す有効フラグである。１３０５は、当該製品仕様が該当する製品仕様のカテゴリを表す製品仕様カテゴリである。１３０６は、外注を利用するか否かを表す外注利用フラグである。１３０７は、当該製品仕様の単価を表す基準単価である。１３０８は、予め登録された製品仕様を検索するための製品仕様検索ボタンである。１３０９は、印刷、製本などの各工程を部品にした工程部品アイコンをまとめる工程部品メニューである。１３１０は、印刷物を生産する工程の工程部品アイコンを配置した配置図である。１３１１から１３１５は、工程部品アイコンであって、それぞれ、印刷工程を表す印刷アイコン、製本工程を表す製本アイコン、断裁工程を表す断裁アイコン、折り工程を表す折りアイコン、上記の各工程に分類されないその他の工程を表すその他アイコンである。１３１６から１３１９は、配置図１３１０に配置され、作業者によって内容が編集された、くるみ製本冊子を作成するための工程部品アイコンであって、それぞれ、表紙部分の印刷工程を表す表紙印刷アイコン、本文部分の印刷工程を表す本文印刷アイコン、前記本文印刷工程および前記表紙印刷工程で印刷された印刷物をくるみ綴じで製本する製本工程を表すくるみ製本アイコン、前記くるみ綴じで製本された印刷物の三方（印刷物の上辺（天）、印刷物の下辺（地）、印刷物を綴じていない側の側辺（小口））を断裁する断裁工程を表す三方断裁アイコンである。１３２０から１３２８は、配置図１３１０に配置された各工程を接続するための端子である。１３２０および１３２１は、表紙印刷アイコン１３１６に属し、１３２０は表紙印刷アイコン１３１６への入力端子、１３２１は表紙印刷アイコン１３１６からの出力端子である。１３２２および１３２３は、本文印刷アイコン１３１７に属し、１３２２は本文印刷アイコン１３１７への入力端子、１３２３は本文印刷アイコン１３１７からの出力端子である。１３２４から１３２６は、くるみ製本アイコン１３１８に属し、１３２４および１３２５はくるみ製本アイコン１３１８への入力端子、１３２６はくるみ製本アイコン１３１８からの出力端子である。１３２７から１３２８は、三方断裁アイコン１３１９に属し、１３２７は三方断裁アイコン１３１９への入力端子、１３２８は三方断裁アイコン１３１９からの出力端子である。１３２９は、配置図１３１０に配置された工程部品アイコンが作業者によって選択された際に表示されるコンテキストメニューであって、選択された工程部品の内容を編集する内容編集メニュー、選択された工程部品に適用する工程を予め登録された印刷工程あるいは加工工程から検索するための工程検索画面を呼び出すための工程検索メニュー、選択された工程部品を、製品仕様を構成する工程部品のリストおよび配置図１３１０から削除する削除メニューである。１３３０は、配置図１３１０に配置された工程部品に則り印刷物を生産する際にかかる印刷料金を試算する画面を呼び出すための料金試算ボタンである。１３３１は、上記各入力項目の内容で製品仕様を登録する際に作業者からの入力を受け付け、設定項目をデータ保持部３２５に登録する登録ボタンである。１３３２は、製品仕様の登録をキャンセルする際に作業者からの入力を受け付けるキャンセルボタンである。前記配置図１３１０において、既に配置された工程部品アイコンをカーソルで選択し、配置図内の別の位置に移動することで、当該工程部品アイコンの配置図上での位置を変更することができる。また、工程部品アイコンの出力端子を選択し、別の工程部品アイコンの入力端子までドラッグすることにより、出力端子と入力端子を矢印の線で連結することができる。また、既に連結された端子を選択し配置図上にドラッグすることで連結を解除することができる。配置図１３１０では、以上説明したような工程部品アイコンの移動、端子の連結、連結の解除などができるが、その方法は自明の技術のため、詳細な説明は省略する。
【００４２】
図１５の配置図１３１０に示す印刷物は、表紙と本文をそれぞれ別の工程として印刷し、その後くるみ製本を行い、三方断裁を行う例である。この場合、図１５の配置図１３１０に示すように、表紙印刷アイコンと本文印刷アイコンをそれぞれくるみ製本アイコンに接続し、くるみ製本アイコンを三方断裁アイコンに接続することで、この印刷物を定義することができる。また、配置図１３１０に工程部品アイコンを配置し、適宜内容を編集し、登録ボタン１３３１を押下することで、各工程と製品仕様が紐付けられる。
【００４３】
以下に、図１６および図１７を用いて、製品仕様登録画面における処理の流れを説明する。ステップＳ３０１において、製品仕様管理部３１４は、指示入力部３２７および情報処理部３２８を介して作業者からの製品仕様登録画面の表示要求を受け付けると、データ保持部３２５に格納してある製品仕様ＩＤを参照し、新規の製品仕様ＩＤを発番する。ステップＳ３０２において、製品仕様管理部３１４は、前記製品仕様ＩＤを情報処理部３２８に送信し、情報処理部３２８が情報表示部３２９に表示する。ステップＳ３０３において、製品仕様管理部３１４は、作業者からの入力を待機する。入力があった場合には、ステップＳ３０４に進み、入力がない場合には、Ｓ３０６に進む。ステップＳ３０４において、製品仕様管理部３１４は、作業者からの製品仕様検索ボタン１３０８の押下を待機する。ボタンが押下された場合には、ステップＳ３０５に進み、押下されなかった場合には、ステップＳ３０３に戻る。ステップＳ３０５において、製品仕様管理部３１４は、図１８に示す製品仕様検索画面を情報表示部３２９に表示する。製品仕様検索画面で作業者により製品仕様が検索、選択され、後述の適用ボタン１４２５が押下された場合には、該選択された製品仕様の情報を読み込み、製品仕様登録画面の各項目に反映する。
【００４４】
図１８において、１４０１は、印刷受発注システムに予め登録された製品仕様を検索するための製品仕様検索画面である。１４０２から１４０９は、予め登録された製品仕様を検索する際に製品仕様を絞り込むための絞り込み条件入力欄である。それぞれ、製品仕様ＩＤ、製品仕様名、印刷デバイス、外注利用フラグ、印刷ジョブチケット対応フラグ、印刷ジョブチケット名、製品仕様を構成する工程数、工程名である。１４１０は、前記絞り込み条件入力欄に入力された条件で製品仕様を検索する検索ボタンである。１４１１は、検索により抽出された製品仕様を表示する検索結果表示欄である。１４１２から１４２２は、検索により抽出された製品仕様である。１４１２から１４１６は、抽出された第一の製品仕様のＩＤ、名称などの各属性である。１４１７から１４２２は、抽出された第二の製品仕様のＩＤ、名称などの各属性である。１４２３、１４２４は、それぞれ抽出された第一の製品仕様、第二の製品仕様を排他的に選択するためのラジオボタンである。１４２５は、前記ラジオボタンで選択された製品仕様を前記製品仕様登録画面１３０１に読み込むための適用ボタンである。１４２６は、製品仕様検索画面での操作をキャンセルする際に作業者からの入力を受け付けるキャンセルボタンである。尚、製品仕様検索画面について、図１８では、絞り込み条件として１４０２から１４０９に示す条件を示したが、これに限定するものではなく、例えば、製品仕様登録日などの製品仕様を絞り込むための情報であれば、例えば、どのような条件であっても構わない。
【００４５】
図１８の製品仕様検索画面の例では、印刷ジョブチケット対応フラグがＹｅｓの製品仕様を検索し、その検索結果を検索結果表示欄１４１１に表示し、作業者により第一の製品仕様が選択されていることを表す。ステップＳ３０６において、製品仕様管理部３１４は、工程部品メニュー１３０９の工程部品アイコンのいずれかが選択されたか否か判定する。工程部品アイコンが選択された場合には、ステップＳ３０７に進み、他方、選択されなかった場合には、ステップＳ３０９に進む。ステップＳ３０７において、製品仕様管理部３１４は、選択された工程部品アイコンが配置図１３１０に配置されたか否か判定する。配置された場合には、ステップＳ３０８に進み、他方、配置されなかった場合には、ステップＳ３１６に進む。ステップＳ３０８において、提供部３２０は、選択された工程部品アイコンを配置図上に配置し、配置図の描画を更新する。ステップＳ３０９において、製品仕様管理部３１４は、配置図内の工程部品アイコンが選択されたか否かを判定する。選択された場合には、ステップＳ３１０に進み、他方、選択されていない場合には、ステップＳ３２２に進む。ステップＳ３１０において、製品仕様管理部３１４は、選択された工程部品アイコンが移動されたか否かを判定する。移動された場合には、ステップＳ３１１に進み、他方、移動されなかった場合には、ステップＳ３１２に進む。ステップＳ３１１において、提供部３２０は、選択された工程部品アイコンを移動し、配置図の描画を更新する。ステップＳ３１２において、製品仕様管理部３１４は、選択された工程部品アイコンへの操作を作業者に選択させるコンテキストメニュー１３２９を表示する。ステップＳ３１３において、製品仕様管理部３１４は、コンテキストメニュー１３２９の「内容編集」が選択されたか否か判定する。内容編集が選択された場合には、ステップＳ３１４に進み、他方、選択されなかった場合には、ステップＳ３１７に進む。ステップＳ３１４において、製品仕様管理部３１４は、選択された工程部品アイコンに対応する工程（印刷工程名あるいは加工工程名）の名称の変更を受け付ける。ステップＳ３１５において、製品仕様管理部３１４は、ステップＳ３１４で受け付けた名称変更に従い、データ保持部３２５の対応する工程の名称を変更する。ステップＳ３１６において、製品仕様管理部３１４は、ステップＳ３０６  で選択された工程部品アイコンの選択を解放する。ステップＳ３１７において、製品仕様管理部３１４は、コンテキストメニュー１３２９の「工程検索」が選択されたか否かを判定する。工程検索が選択された場合には、ステップＳ３１８に進み、他方、選択されなかった場合には、ステップＳ３１９に進む。ステップＳ３１８において、製品仕様管理部３１４は、図１９に示す工程検索画面を表示する。工程検索画面で作業者により工程が検索、選択され、後述の適用ボタン１５３０が押下された場合には、該選択された工程の情報を読み込み、配置図上で選択された工程に反映する。
【００４６】
図１９において、１５０１は、印刷受発注システムに予め登録された印刷工程を検索するための印刷工程検索画面である。１５０２から１５１５は、印刷工程を検索する際に絞り込むための絞り込み条件であって、それぞれ、印刷工程ＩＤ、印刷工程名、印刷デバイス、外注利用フラグ、印刷ジョブチケット対応フラグ、印刷ジョブチケット名、印刷工程を構成する部材数、部材名、部材説明、用紙、用紙単価、用紙サイズ、出力単価、インライン対応フラグである。１５１６は、前記絞り込み条件入力欄に入力された条件で印刷工程を検索する検索ボタン、１５１７は、検索により抽出された印刷工程を表示する検索結果表示欄である。１５１８から１５２７は、検索により抽出された印刷工程である。１５１８から１５２２は、抽出された第一の印刷工程のＩＤ、名称などの各属性である。１５２３から１５２７は、抽出された第二の印刷工程のＩＤ、名称などの各属性である。１５２８、１５２９は、それぞれ抽出された第一の印刷工程、第二の印刷工程を排他的に選択するためのラジオボタンである。１５３０は、前記ラジオボタンで選択された印刷工程をステップＳ３０９で選択された印刷工程に読み込むための適用ボタンである。１５３１は、印刷工程検索画面での操作をキャンセルする際に作業者からの入力を受け付けるキャンセルボタンである。
【００４７】
ステップＳ３１９において、製品仕様管理部３１４は、コンテキストメニュー１３２９の「削除」が選択されたか否か判定する。削除が選択された場合には、ステップＳ３２０に進み、他方、選択されなかった場合には、選択を解放してステップＳ３０３に戻る。ステップＳ３２０において、提供部３２０は、選択された工程部品アイコンを配置図上から削除し、配置図の描画を更新する。ステップＳ３２１において、製品仕様管理部３１４は、製品仕様を構成する工程を連結したリストから、選択された工程部品を削除する。ステップＳ３２２において、製品仕様管理部３１４は、配置図内の工程部品アイコンの端子が選択されたか否かを判定する。端子が選択された場合には、ステップＳ３２３に進み、他方選択されなかった場合には、選択を解放し、ステップＳ３２６に進む。ステップＳ３２３において、製品仕様管理部３１４は、配置図内の別の工程部品アイコンの端子が選択されたか否か判定する。選択された場合には、ステップＳ３２４に進み、他方、選択されなかった場合には、ステップＳ３０３  に戻る。ステップＳ３２４において、提供部３２０は、ステップＳ３２２で選択された工程部品アイコン（以下、第一の工程部品アイコン）の端子と、ステップＳ３２３で選択された工程部品アイコン（以下、第二の工程部品アイコン）の端子とを矢印の線で連結し、配置図の描画を更新する。ステップＳ３２５において、製品仕様管理部３１４は、製品仕様を構成する工程を連結したリストで第一の工程部品と第二の工程部品を連結する。ステップＳ３２６において、製品仕様管理部３１４は、料金試算ボタン１３３０が作業者により押下されたか否かを判定する。押下された場合には、ステップＳ３２７に進み、他方、押下されなかった場合には、ステップＳ３２８に進む。ステップＳ３２７において、製品仕様管理部３１４は、図２０に示す料金試算画面を情報表示部３２９に表示する。
【００４８】
図２０において、１６０１は、当該製品仕様に基づき印刷料金を試算するための料金試算画面である。１６０２から１６０４は、それぞれ製品仕様ＩＤ、製品仕様名、製品仕様に設定された基準単価である。１６０５は、製品仕様を構成する印刷工程の情報を一覧する印刷工程情報一覧である。１６０６から１６２１は、製品仕様を構成する印刷工程の各属性である。１６０６から１６１３、１６１４から１６２１は、第一、第二の印刷工程に関する属性（作業名、印刷工程名、部材名、印刷面、片面当たりの面付数、枚数、単価、金額）である。１６２２は、各印刷工程で用いる用紙情報を一覧する用紙情報一覧である。１６２３から１６３８は、各印刷工程で用いる用紙情報の各属性である。１６２３から１６３０、１６３２１から１６３８は、それぞれ、第一、第二の印刷工程で用いる用紙に関する属性（作業名、印刷工程名、部材名、用紙名、用紙サイズ、枚数、単価、金額）である。１６３９は、製品仕様を構成する加工工程の情報を一覧する加工情報一覧である。１６４０から１６５５は、製品仕様を構成する加工工程の各属性である。１６４０から１６４７、１６４８から１６５５は、それぞれ、第一、第二の加工工程で用いる加工工程に関する属性（加工区分、作業名、加工工程名、単価ボリューム、加工費区分、数量、単価、金額）である。１６５６は、作業者に部数を入力させる部数入力欄である。１６５６は、上記基準単価１６０４ならびに印刷工程情報一覧１６０５、用紙情報一覧１６２２、加工情報一覧１６３９の各金額、および、部数入力欄１６６４に入力された部数に基づき印刷料金を試算する料金試算ボタンである。１６５７は、料金試算ボタン１６５６の押下により試算された印刷料金を表示する印刷料金表示欄である。１６５８は、料金試算画面１６０１を閉じるための閉じるボタンである。以上に加えて、試算結果をファイルに保存するための保存ボタンや印刷するための印刷ボタンなどを備えるようにしても良い。
【００４９】
ステップＳ３２８において、製品仕様管理部３１４は、登録ボタン１３３１が作業者により押下されたか否かを判定する。押下された場合には、ステップＳ３２９に進み、他方、押下されなかった場合には、ステップＳ３３０に進む。ステップＳ３２９において、製品仕様管理部３１４は、配置図１３１０に配置された工程部品の各属性をデータ保持部３２５に格納し、ステップＳ３０３に戻る。ステップＳ３３０において、製品仕様管理部３１４は、キャンセルボタン１３３２が作業者により押下されたか否かを判定する。押下された場合には、製品仕様登録処理を終了し、他方、押下されなかった場合には、ステップＳ３０３に戻る。次に、図２１を用いて、印刷料金試算処理の流れを説明する。ステップＳ４０１において、製品仕様管理部３１４は、製品仕様ＩＤ、製品仕様名、基準単価をデータ保持部３２５から取得する。ステップＳ４０２において、製品仕様管理部３１４は、ステップＳ４０１で取得した製品仕様ＩＤ、製品仕様名、基準単価を料金試算画面１６０１のそれぞれ対応する表示欄に表示する。ステップＳ４０３において、製品仕様管理部３１４は、製品仕様に紐付く印刷工程をデータ保持部３２５から取得する。ステップＳ４０４において、製品仕様管理部３１４は、ステップＳ４０３で取得した印刷工程に紐付く印刷設定に記載の用紙情報をデータ保持部３２５から取得する。ステップＳ４０５において、製品仕様管理部３１４は、製品仕様に紐付く加工工程をデータ保持部３２５から取得する。ステップＳ４０６において、製品仕様管理部３１４は、ステップＳ４０３からステップＳ４０５で取得した各種情報を料金試算画面１６０１のそれぞれ対応する表示欄に表示する。ステップＳ４０７において、製品仕様管理部３１４は、作業者からの入力を待機する。入力があった場合には、ステップＳ４０８に進み、他方、入力がなかった場合には、ステップＳ４０７に戻る。ステップＳ４０８において、製品仕様管理部３１４は、料金試算ボタン１６６５が押下されたか否か判定する。押下された場合には、ステップＳ４０９に進み、他方、押下されなかった場合には、ステップＳ４１１に進む。ステップＳ４０９において、製品仕様管理部３１４は、製品仕様の基準単価、製品仕様に紐付く各印刷工程、用紙、加工工程の各料金、および、部数に基づき料金を算出する。ステップＳ４１０において、製品仕様管理部３１４は、ステップＳ４０９で算出した料金を料金試算画面１６０１の印刷料金表示欄１６６６に表示する。ステップＳ４１１において、製品仕様管理部３１４は、閉じるボタン１６６７が押下されたか否かを判定する。押下された場合には、印刷料金試算処理を終了し、他方、押下されなかった場合には、ステップＳ４０７に戻る。
【００５０】
＜製品登録＞
ステップＳ２０９において、製品管理部３１５は、情報表示部３２９に表示される図２２に示す製品登録画面に入力された製品に関する情報を受け取り、データ保持部３２５に格納する。
【００５１】
図２２において、１７０１は、製品を登録する製品登録画面である。１７０２は、当該製品を公開するＦＥＳの名称を表すＦＥＳ名である。１７０３は、前記ＦＥＳ名で表されるＦＥＳに印刷会社が入会した日付を表す入会日である。１７０４は、前記ＦＥＳ名で表されるＦＥＳに印刷会社が退会した日付を表す退会日である。１７０５は、予め登録された製品仕様を検索するための製品仕様検索ボタンである。１７０６から１７０９は、当該製品を構成する製品仕様の製品仕様ＩＤ、製品仕様名、製品仕様カテゴリ名、製品仕様の基準単価である。１７１０は、新規製品登録時に印刷受発注システムから発番される製品ＩＤである。１７１１は、製品の改訂番号を管理するための改訂番号である。１７１２は、製品の名称を表す製品名である。１７１３から１７１６は、それぞれ、製品の販売開始日、販売終了日、出荷に要する標準的な出荷日数を設定する標準出荷日数、注文可能な最大部数を設定する注文可能最大部数である。１７１７は、上記各入力項目の内容で製品を登録する際に作業者からの入力を受け付け、設定項目をデータ保持部３２５に登録する登録ボタンである。１７１８は、製品の登録をキャンセルする際に作業者からの入力を受け付けるキャンセルボタンである。
【００５２】
製品管理部３１５は、ＦＥＳ名１７０２にＦＥＳ名が入力されると、印刷会社が該ＦＥＳに入会した入会日、および、既に退会している場合には退会日を設定し、画面の描画を更新する。尚、ＦＥＳへの入会日や退会日などの印刷受発注システムへの登録は予め行っているものとする。また、この製品登録画面で製品仕様ＩＤ１７０６を設定することで、製品と製品仕様とが紐付けられる。また、製品管理部３１５は、作業者からの製品仕様検索ボタン１７０５の押下を受け付けると、前述の図１８に示す製品仕様検索画面１４０１を表示し、作業者からの製品仕様の選択を受け付け、製品登録画面１７０１の１７０６から１７０９に当該製品仕様における対応する値を設定し、画面の描画を更新する。以上のように、製品は製品仕様に販売開始日や標準出荷日数などの情報を付加することで形成される。
【００５３】
＜アイテム登録＞
ステップＳ２１０において、アイテム管理部３１６は、情報表示部３２９に表示される図２３に示すアイテム登録画面に入力されたアイテムに関する情報を受け取り、データ保持部３２５に格納する。
【００５４】
図２３において、１８０１は、アイテムを登録するためのアイテム登録画面である。１８０２は、予め登録してある製品を検索するための製品検索ボタンである。１８０３、１８０４は、それぞれ、製品の製品ＩＤ、製品名である。１８０５は、新規アイテム登録時に印刷受発注システムから発番されるアイテムＩＤである。１８０６から１８０８は、当該アイテムのアイテム名、価格、納期である。１８０９は、印刷データや作業指示書などのアイテムに関連するファイルを登録する関連ファイルアイテム登録欄である。１８１０は、上記各入力項目の内容でアイテムを登録する際に作業者からの入力を受け付け、設定項目をデータ保持部３２５に登録する登録ボタンである。１８１１は、アイテムの登録をキャンセルする際に作業者からの入力を受け付けるキャンセルボタンである。アイテム管理部３１６は、作業者からの製品検索ボタン１８０２の押下を受け付けると、前述の不図示の製品検索画面を表示する。製品検索画面では、前述の製品仕様検索画面１４０１のように、所定の絞り込み条件を表示し、作業者による絞り込み条件の入力を受け付けると該絞り込み条件に適合した製品を抽出し、検索結果の一覧を表示する。作業者に該検索結果の一覧から所望の製品を選択させ、選択の入力を受け付け、製品検索画面を閉じる。アイテム管理部３１６は、選択された製品の製品ＩＤ、製品名、基準価格、標準出荷日数を取得し、それぞれ、アイテム登録画面１８０１の製品ＩＤ１８０３、製品名１８０４、価格１８０７、納期１８０８に表示する。価格１８０７および納期１８０８については、前記基準価格、標準出荷日数を参考にして作業者が自由に変更できる。このように、製品の基準価格、標準出荷日数をもとにアイテムの価格、納期を変更できるようにすることで、印刷会社は、公開するＦＥＳの特性に合わせて、アイテムの価格を変更することができる。以上、説明した処理により、印刷会社が注文を受けるための準備が完了する。
【００５５】
＜発注者による発注処理＞
次に、発注者が印刷物を注文する際の処理を図２４乃至図２６を用いて説明する。
【００５６】
図２４に、発注者のディスプレイに表示される発注画面における処理の流れを示す。ステップＳ５０１において、注文情報入力部３０４は、発注者のディスプレイに不図示のログイン画面を表示する。該ログイン画面は、ログインＩＤおよびログインパスワードを入力する入力欄、ならびに、前記各入力欄に入力した内容でログインの試行を決定するログインボタンを備えるものとする。発注者は、予め印刷受発注システムから発行されたログインＩＤおよびログインパスワードをそれぞれログインＩＤ入力欄、ログインパスワード入力欄に入力する。ステップＳ５０２において、注文情報入力部３０４は、発注者からのログインボタンの押下を待機する。ログインボタンが押下された場合には、ステップＳ５０３に進み、他方、押下されない場合には、ステップＳ５０１に戻る。ステップＳ５０３において、注文情報入力部３０４は、ログインＩＤ入力欄およびログインパスワード入力欄に入力されたログインＩＤおよびログインパスワードからなるログイン情報を顧客管理部３０７に送信し、入力内容が正しいか認証の要求を行う。ステップＳ５０４において、注文情報入力部３０４は、顧客管理部３０７から認証結果を取得し、結果が正しい場合には、ステップＳ５０５に進み、他方、結果が正しくない場合には、ステップＳ５０１に戻る。ステップＳ５０５において、注文情報入力部３０４は、アイテム管理部３１６からアイテム一覧を取得する。ステップＳ５０６において、注文情報入力部３０４は、前記アイテム一覧を用いて図２５に示すようなアイテム一覧画面を生成し、発注者のディスプレイに表示する。
【００５７】
図２５において、１９０１は、アイテムの一覧およびメニューを表すアイテム一覧画面である。１９０２は、画面を切り替えるためのメニューである。１９０３は、発注者が発注可能なアイテムの一覧および発注者が選択したアイテムのプレビューを表すアイテム一覧プレビューである。１９０４から１９０６は、それぞれアイテム一覧画面、注文履歴画面、ログアウト画面を呼び出すためのアイテム一覧ボタン、注文履歴ボタン、ログアウトボタンである。１９０７は、発注者が発注可能なアイテムの一覧を表すアイテム一覧である。１９０８から１９２８は、各アイテムに関するアイテム情報である。１９０８から１９１４、１９１５から１９２１、１９２２から１９２８は、それぞれ、第一、第二、第三のアイテムに関するアイテム情報である。１９２９から１９３１は、それぞれ、第一、第二、第三のアイテムを選択するための選択欄である。１９３２は、発注者がアイテム一覧１９０７で選択したアイテムのプレビューを表示するプレビュー画面である。１９３３は、上記各入力項目の内容でアイテムを発注する際に作業者からの入力を受け付け、設定項目を受注部３２２に送信する発注ボタンである。１９３４は、アイテム一覧画面からの発注手続きをキャンセルする際に作業者からの入力を受け付けるキャンセルボタンである（発注後の注文をキャンセルするためのボタンではない）。発注者は、アイテム一覧１９０７に表示されるアイテムのうち、発注を希望するアイテムの選択欄（１９２９から１９３１）にチェックを入力し、部数欄（１９１４、１９２１、１９２８）に所望の部数を入力する。図２５では、第一のアイテムを１００部発注する例を示す。
【００５８】
ステップＳ５０７において、注文情報入力部３０４は、発注者からの入力を待機する。アイテム一覧ボタン１９０４が押下された場合には、ステップＳ５０８へ進み、注文履歴ボタン１９０５が押下された場合には、ステップＳ５１２へ進み、ログアウトボタン１９０６が押下された場合には、ステップＳ５１６に進み、入力がない場合には、ステップＳ５０６に戻る。ステップＳ５０８において、注文情報入力部３０４は、アイテム一覧画面が表示されていない場合にはアイテム一覧画面を表示する。ステップＳ５０９において、注文情報入力部３０４は、発注者からの入力を待機し、注文ボタン１９３３が押下された場合には、ステップＳ５１０に進み、キャンセルボタン１９３４が押下された場合には、ステップＳ５１１に進み、入力がない場合には、ステップＳ５０８に戻る。ステップＳ５１０において、発注部３０５は、注文情報を受注部３２２に送信する。ステップＳ５１１において、注文情報入力部３０４は、アイテム一覧画面を閉じ、処理を終了する。ステップＳ５１２において、注文情報入力部３０４は、注文管理部３１７から注文履歴を取得する。ステップＳ５１３において、注文情報入力部３０４は、取得した注文履歴を用いて図２６に示すような注文履歴画面を発注者のディスプレイに表示する。
【００５９】
図２６において、２００１は、発注者が過去に注文した注文履歴およびメニューを表す注文履歴画面である。２００２は、注文履歴の一覧および発注者が選択したアイテムのプレビューを表す注文一覧プレビューである。２００３は、注文履歴の一覧を表す注文履歴一覧である。２００４から２０１７は、各注文履歴に関する注文履歴情報であってである。２００４から２０１１、２０１２から２０１９、２０２０から２０２７は、それぞれ、第一、第二、第三の注文履歴に関する注文履歴情報である。２０２８は、発注者が注文履歴一覧２００３で選択した注文履歴のプレビューを表示するプレビュー画面である。２０２９は、上記各入力項目の内容で発注する際に作業者からの入力を受け付け、設定項目を受注部３２２に送信する発注ボタンである。２０３０は、注文履歴画面からの発注手続きをキャンセルする際に作業者からの入力を受け付けるキャンセルボタンである（発注後の注文をキャンセルするためのボタンではない）。尚、図２６において同じ機能の項目については、同一の符号を付し、説明を省略する。ステップＳ５１４において、注文情報入力部３０４は、発注者からの入力を待機する。発注ボタン２０２９が押下された場合には、ステップＳ５１５に進み、キャンセルボタン２０３０が押下された場合には、ステップＳ５１１に進み、入力がなかった場合には、ステップＳ５１３に戻る。ステップＳ５１５において、発注部３０５は、注文情報を受注部３２２に送信する。ステップＳ５１６において、注文情報入力部３０４は、当該アカウントＩＤの接続状態を無効にし、当該アカウントＩＤをログアウトさせる。以上、説明した処理により、発注者からの発注が完了する。
【００６０】
＜印刷会社の作業者による受注処理＞
次に、注文を受けた印刷会社における受注処理を図２７乃至図２９を用いて説明する。
【００６１】
図２７に、注文一覧画面を示す。図２７において、２１０１は、発注者から印刷会社に発注された注文の一覧を表す注文一覧画面である。２１０２から２１１７は、印刷会社が受注した注文の一覧である。２１０２から２１０９、２１１０から２１１７は、それぞれ、第一、第二の注文の注文ＩＤ、注文明細ＩＤ、希望出荷日、アイテム名、取引先、公開先のＦＥＳ、部数、進行状況を表すステータスである。２１１８、２１１９は、それぞれ、第一、第二の注文を排他的に選択するための選択欄である。２１２０は、選択した注文に関する詳細情報を表す注文詳細画面を呼び出すための注文詳細ボタンである。
【００６２】
次に、印刷会社の作業者の受注処理について説明する。指示入力部３２７は、作業者から注文一覧画面の表示要求を受けると、情報処理部３２８は、注文管理部３１７に注文一覧画面の送信要求を送信する。注文管理部３１７は、データ保持部３２５に保持された注文情報から該印刷会社向けの注文を抽出し、注文一覧を生成し、情報処理部３２８に送信する。情報処理部３２８は、注文一覧を受信し、情報表示部３２９に図２７に示す注文一覧画面を表示する。作業者により注文が選択され、注文詳細ボタン２１２０が押下されると、指示入力部３２７は該入力を受け付ける。次に、情報処理部３２８は、該選択された注文に関する詳細情報の送信要求を注文管理部３１７に送信し、注文管理部３１７は、当該注文に関する詳細情報をデータ保持部３２５から抽出し、情報処理部３２８に送信する。情報処理部３２８は、該詳細情報を受け取り、図２８に示す注文詳細画面を表示する。
【００６３】
図２８において、２２０１は、前記注文一覧画面で選択された注文の詳細情報を表示するための注文詳細画面である。２２０２は、注文に関する基本情報を表す注文基本情報である。２２０３から２２１０は、注文に関する基本情報であって、それぞれ、注文ＩＤ、アイテム名、部数、注文明細ＩＤ、取引先、ステータス、希望出荷日、公開先のＦＥＳである。２２１１は、注文に関する詳細情報を表す注文詳細情報である。２２１２から２２１８は、注文に関する詳細情報であって、それぞれ、決済方法、入稿の状況を表す入稿ステータス、発注者が受取を希望する受取希望日、製品名、校正の状況を表す校正ステータス、製品仕様名、作業の状況を表す作業ステータスなどである。２２１９は、注文に関連するファイルを表す注文関連ファイルである。２２２０から２２２９は、注文に関連するファイルのうち作業者が取得したいファイルを選択するためのチェックボックスであって、それぞれ、入稿データ、校正前データ、校正後データ、校正結果、印刷データ（ＲＩＰ前）、印刷データ（ＲＩＰ後）、作業指示書、ジョブチケット、プリントチケット、加工ジョブチケットを選択するためのチェックボックスである。２２３０は、上記注文関連ファイル２２２０の各チェックボックスの選択状態を取得し、チェックされたファイルに対する送信要求を注文管理部３１７に送信するための保存ボタンである。２２３１は、注文詳細画面を閉じるための閉じるボタン２２３１である。ここで、図２９を用いて、注文詳細ボタンが押下された際の処理の流れを説明する。図２９に、注文詳細画面における処理の流れを示す。ステップＳ６０１において、注文管理部３１７は、注文に関する詳細情報をデータ保持部３２５から取得し、注文詳細画面を描画するためのスクリプトおよび画像を情報処理部３２８に送信する。ステップＳ６０２において、情報処理部３２８は、取得したスクリプトおよび画像を情報表示部３２９に表示する。ステップＳ６０３において、情報処理部３２８は、作業者からの入力を待機する。入力があった場合には、ステップＳ６０４に進み、他方、入力がない場合には、ステップＳ６０２に戻る。ステップＳ６０４において、情報処理部３２８は、保存ボタン２２３０が押下されたか否か判定する。保存ボタン２２３０が押下された場合には、ステップＳ６０５に進み、他方、押下されなかった場合には、ステップＳ６０８に進む。ステップＳ６０５において、情報処理部３２８は、注文関連ファイル２２２０の各チェックボックスの選択状態を取得し、チェックされたファイルに対する送信要求を注文管理部３１７に送信する。ステップＳ６０６において、生成部３２３は、該当するファイルをデータ保持部３２５から抽出し、該ファイルと注文情報に基づき、ファイルを生成する。ステップＳ６０７において、出力部３２４は、生成したファイルを情報処理部３２８に送信する。ステップＳ６０８において、情報処理部３２８は、ファイルを受信し、データ保持部３３０に保存する。ステップＳ６０８において、情報処理部３２８は、閉じるボタン２２３１が押下されたか否か判定する。押下された場合には、処理を終了し、他方、押下されなかった場合には、ステップＳ６０２に戻る。
【００６４】
以上の処理により、作業者は印刷および加工に必要な情報を取得することができるので、これらの情報に基づき印刷データをＨｏｔＦｏｌｄｅｒに投入し、印刷部３３１において印刷物を印刷する。そして、加工ジョブチケットを加工機に投入し、印刷された印刷物の加工を加工部３３２で行い、印刷物の生産を完了する。
【００６５】
以上、説明した技術によれば、予め印刷設定、印刷工程、加工工程を設定しておき、これらを使って製品仕様を作成し、さらに、製品仕様を用いて製品を作成できるため、印刷物を作成するための作業工数を削減することができる。また、既に登録してある情報をもとに新規に作成するため、新たに製品仕様などを登録する場合であっても、入力項目を削減することができ、入力に伴う入力ミスを削減することができる。
【００６６】
［第二の実施例］
第一の実施例では、発注者と印刷会社の間で印刷仕様の調整を行い、決定した印刷仕様に基づき、印刷会社の作業者がアイテムを登録し、登録されたアイテムを発注者が閲覧し、発注していた。この発注の流れは、発注者が印刷会社の固定顧客の場合によく行われていた。これに対して、第二の実施例では、近年発展しているネット印刷注文サービスにみられる、印刷データのデザインの元となるデザインテンプレートをＷｅｂサイトに公開し、不特定多数の発注者が該Ｗｅｂサイトにアクセスし、デザインを編集し入稿する例について説明する。本実施例のハードウェア構成は、第一の実施例と同一であるので、説明を省略する。図３０に、本実施例における論理構成を示す。図３０において、２３０１は、予め名刺や年賀状などの所定の目的に応じたデザインがされたデザインの元となるデザインテンプレートを管理するデザインテンプレート管理部である。２３０２は、アイテムと関連するデザインテンプレートを紐付けるアイテム管理部である。
【００６７】
次に、図３１を用いて、本実施例における印刷の全体の流れを説明する。図３１に、印刷の全体の流れを説明する。ステップＳ７０１において、印刷会社の作業者は、デザイン編集アプリケーションなどでデザインしたデザインテンプレートを印刷受発注システムに登録する。ステップＳ７０２において、印刷会社の作業者は、Ｓ１０３での処理に加え、デザインテンプレートとアイテムを紐付ける。
【００６８】
図３２に、初期設定およびアイテム登録の各シーケンスを示す。ステップＳ８０１において、デザインテンプレート管理部２３０１は、指示入力部３２７を介して編集されたデザインテンプレートを受信し、データ保持部３２５に格納する。ステップＳ８０２において、アイテム管理部３１６は、アイテムと関連するデザインテンプレートを紐付けてデータ保持部３２５に格納する。
【００６９】
図３３に、発注者が名刺を発注する際にデザインテンプレートの編集に用いるデザイン編集画面を示す。図３３において、２４０１は、デザインテンプレート編集するためのデザイン編集画面である。２４０２は、デザインテンプレート中のオブジェクトやテキスト属性を変更するためのボタンをまとめたメニューである。２４０３は、デザインテンプレートにテキストや図形を配置するためのボタンをまとめたオブジェクトグループである。２４０４から２４０８は、各オブジェクトを配置するための、それぞれ、テキストボタン、直線ボタン、三角ボタン、四角ボタン、画像ボタンである。２４０９は、デザインテンプレートに配置したテキストオブジェクトの属性を変更するためのテキスト属性グループである。２４１０、２４１１は、それぞれテキストオブジェクトのフォント、サイズを変更するためのフォントボタン、サイズボタンである。２４１２は、オブジェクトを変形するための変形ボタンである。２４１３は、デザインを編集するためのキャンパスとなるデザインキャンパスである。２４１４から２４２１は、名刺のデザインテンプレートの各オブジェクトである。２４１４は、用紙部分を表す用紙オブジェクトである。２４１５は、名刺の所有者の顔写真や会社のマークなどを配置するための画像オブジェクトである。２４１６から２４２１は、それぞれ、会社名、役職名、氏名、電話番号、メールアドレス、住所を表すテキストオブジェクトである。２４２２は、上記デザインで入稿する際に発注者からの入力を受け付け、編集結果をデータ保持部３２５に保存する保存ボタンである。２４２３は、デザイン編集画面での編集作業をキャンセルする際に作業者からの入力を受け付けるキャンセルボタンである。
【００７０】
以上により、予めアイテムとデザインテンプレートを紐付けて登録しておくことで、作業者はデザインテンプレートに適した印刷ジョブチケットや作業指示書を自動で取得することができる。このため、印刷データを取り違えることがなくなり、ミスの発生を削減することができる。
【００７１】
以上説明した実施例によれば、予め登録した製品仕様や印刷工程などを用いて、注文の印刷仕様に沿った製品仕様を作成することができるため、少ない工数で注文の印刷物を生産するための製品仕様を作成することができる。これにより、印刷会社は、短い納期で印刷物を発注者に提供することができる。また、予め登録した製品仕様や印刷工程などを利用して新規の製品仕様や印刷工程などを作成できるため、入力作業を削除でき、入力ミスに起因する無駄な印刷や、注文と異なる仕上りの印刷物を納品してしまうようなミスを防止することができる。
【００７２】
［他の実施の形態］
前記実施例において、印刷設定を印刷工程の下位の構成要素としたが、これに限定するものではなく、印刷設定が持つ情報を印刷工程に持たせても良い。また、前記実施例において、加工工程に加工に関する全ての情報を持たせたが、これに限定するものではなく、個々の加工に特有の情報を加工設定として情報を分離し、種々の加工に共通する情報を加工工程に持たせるようにしても良い。
【００７３】
＜記憶媒体＞
なお、本発明は、複数の機器（例えばホストコンピュータ、インターフェイス機器、リーダ、プリンタなど）から構成されるシステムに適用しても、一つの機器からなる装置（例えば、複写機、ファクシミリ装置など）に適用しても良い。また、本発明の目的は、前述した実施形態の機能を実現するソフトウェアのプログラムコードを記録した記憶媒体を、システムあるいは装置に供給し、そのシステムあるいは装置のコンピュータ（又はＣＰＵ又はＭＰＵ）が記憶媒体に格納されたプログラムコードを読み出し実行することによっても達成されることは言うまでもない。この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図１】
2014109855.tif 000003
【図２】
2014109855.tif 000004
【図３】
2014109855.tif 000005
【図４】
2014109855.tif 000006
【図５】
2014109855.tif 000007
【図６】
2014109855.tif 000008
【図７】
2014109855.tif 000009
【図８】
2014109855.tif 000010
【図９】
2014109855.tif 000011
【図１０】
2014109855.tif 000012
【図１１】
2014109855.tif 000013
【図１２】
2014109855.tif 000014
【図１３】
2014109855.tif 000015
【図１４】
2014109855.tif 000016
【図１５】
2014109855.tif 000017
【図１６】
2014109855.tif 000018
【図１７】
2014109855.tif 000019
【図１８】
2014109855.tif 000020
【図１９】
2014109855.tif 000021
【図２０】
2014109855.tif 000022
【図２１】
2014109855.tif 000023
【図２２】
2014109855.tif 000024
【図２３】
2014109855.tif 000025
【図２４】
2014109855.tif 000026
【図２５】
2014109855.tif 000027
【図２６】
2014109855.tif 000028
【図２７】
2014109855.tif 000029
【図２８】
2014109855.tif 000030
【図２９】
2014109855.tif 000031
【図３０】
2014109855.tif 000032
【図３１】
2014109855.tif 000033
【図３２】
2014109855.tif 000034
【図３３】
2014109855.tif 000035